(57)【要約】【課題】消費電力の低下とコンデンサの放電時間短縮を目的とした空気清浄機を提供する。【解決手段】外部電源から供給される交流電源を直流電源に変換する制御装置を備えた空気清浄機において、交流電源印加部に雑音低減用コンデンサと交流電源Ｓ相に時間検知用のゼロクロス回路と交流電源Ｒ相に前記コンデンサの電荷放電用の抵抗と、前記抵抗への通電をＯＮ／ＯＦＦするスイッチ手段を設け、外部電源供給時は、前記スイッチ手段をＯＦＦし、外部電源供給停止時は、前記スイッチ手段をＯＮすることを特徴とする空気清浄機。【選択図】図１
2012078069.tif 000002
【特許請求の範囲】
【請求項１】
外部電源から供給される交流電源を直流電源に変換する制御装置を備えた空気清浄機において、交流電源印加部に雑音低減用のコンデンサと交流電源Ｓ相に時間検知用のゼロクロス回路と交流電源Ｒ相に前記コンデンサの電荷放電用の抵抗と、前記抵抗への通電をＯＮ／ＯＦＦするスイッチ手段を設け、外部電源供給時は、前記スイッチ手段をＯＦＦし、外部電源供給停止時は、前記スイッチ手段をＯＮすることで、外部電源供給時の放電用の抵抗での消費電力を削減し、外部電源供給停止時のみ前記コンデンサの放電時間を短縮することを特徴とする空気清浄機。
【請求項２】
前記直流電源部に雑音低減用コンデンサと前記コンデンサの電荷放電用の抵抗と、前記抵抗に電流の通電をＯＮ／ＯＦＦするスイッチ手段を設け、直流電源供給時は、前記スイッチ手段をＯＦＦし、直流電源供給停止時は、前記スイッチ手段をＯＮすることで、電源供給時の放電用の抵抗での消費電力を削減し、電源供給停止時のみ前期コンデンサの放電時間を短縮することで、交流電源印加部の雑音低減用コンデンサの放電時間を短縮することを特徴とする請求項１に記載の空気清浄機。
【請求項３】
前記ゼロクロス回路にて瞬停を検知するためにマイコンを設け、ある一定時間マイコンが瞬停を検知するとマイコンにて前記スイッチ手段をＯＮすることを特徴とする請求項１、請求項２に記載の空気清浄機。
【請求項４】
前記マイコンにて瞬停復帰後を検知すると前記スイッチ手段をＯＦＦすることを特徴とする請求項３に記載の空気清浄機。
【請求項５】
マイコンと前記マイコンの電源供給を検知するリセット回路を設け、マイコンがリセットすると前記スイッチ手段をＯＮすることを特徴とする請求項１、請求項２に記載の空気清浄機。
【請求項６】
前記マイコンにてリセット解除すると前記スイッチ手段をＯＦＦすることを特徴とする請求項５に記載の空気清浄機。
【請求項７】
マイコンを設け、マイコンにて直流電源を検知し、直流電源がある一定まで低下すると前記スイッチ手段をＯＮすることを特徴とする請求項１、請求項２に記載の空気清浄機。
【請求項８】
マイコンにて直流電源がある一定まで復帰するのを検知すると前記スイッチ手段をＯＦＦすることを特徴とする請求項７に記載の空気清浄機。
【発明の詳細な説明】
【技術分野】
【０００１】
本発明は、室内空間に浮遊する埃や煙草などの汚染物質を含んだ汚染空気を吸い込んで清浄し、室内に吹きだす機能を備えた空気洗浄機に関するものである。
【背景技術】
【０００２】
従来、この種の空気洗浄機は下記に記載されたものが知られている。
【０００３】
以下、その空気洗浄機について図を参照しながら説明する。
【０００４】
図６に示すように空気清浄機に外部電源から供給される交流電源１０１と、交流電源１０１の雑音低減用のコンデンサ１０２と、コンデンサ１０２にチャージされた電荷を放電するための抵抗１０３と交流電源を直流電源に変換するダイオード１０４と、直流電源を平滑させるための電解コンデンサ１０５を備え、待機中でも抵抗１０３は通電している  （例えば、特許文献１参照）。
【先行技術文献】
【特許文献】
【０００５】
【特許文献１】特開２０１０−４６１３号公報
【発明の概要】
【発明が解決しようとする課題】
【０００６】
このような従来の空気洗浄機では、プラグをコンセントから抜いた時にコンデンサの放電時間を短縮するため、コンデンサに抵抗を接続しコンデンサの電荷を消費する必要があった。そのため、常に抵抗では電力を消費しており、消費電力を削減する事が要求されている。
【０００７】
そこで本発明は、このような従来の課題を解決するものであり、プラグを抜いた時だけ抵抗を接続することにより、プラグを抜いた時のコンデンサの放電時間を短縮し、抵抗での消費電力も削減させる空気清浄機を提供することを目的とする。
【課題を解決するための手段】
【０００８】
そして、この目的を達成するために、本発明の空気洗浄機は、外部電源から供給される交流電源を直流電源に変換する制御装置を備えた空気清浄機において、交流電源印加部に雑音低減用コンデンサと交流電源Ｓ相に時間検知用のゼロクロス回路と交流電源Ｒ相に前記コンデンサの電荷放電用抵抗と、前記抵抗への通電をＯＮ／ＯＦＦするスイッチ手段を設け、外部電源供給時は、前記スイッチ手段をＯＦＦし、外部電源供給停止時は、前記スイッチ手段をＯＮすることで、外部電源供給時の放電用抵抗での消費電力を削減し、外部電源供給停止時のみ前記コンデンサの放電時間を短縮することを特徴とするものであり、これにより所期の目的を達成するものである。
【０００９】
また、本発明の空気清浄機は、前記直流電源部に雑音低減用コンデンサと前記コンデンサの電荷放電用抵抗と、前記抵抗に電流の通電をＯＮ／ＯＦＦするスイッチ手段を設け、直流電源供給時は、前記スイッチ手段をＯＦＦし、直流電源供給停止時は、前記スイッチ手段をＯＮするものである。
【００１０】
この手段により、外部電源供給時の放電用抵抗での消費電力を削減し、外部電源供給停止時のみ前記コンデンサの放電時間を短縮する空気洗浄機が得られる。
【００１１】
また、本発明の空気清浄機は、前記ゼロクロス回路にて瞬停を検知するためにマイコンを設け、ある一定時間マイコンが瞬停を検知するとマイコンにて前記スイッチ手段をＯＮするものである。
【００１２】
この手段により、外部電源供給停止時に前記コンデンサの放電時間を短縮する空気洗浄機が得られる。
【００１３】
また、本発明の空気清浄機は、前記マイコンにて瞬停復帰後を検知すると前記スイッチ手段をＯＦＦするものである。
【００１４】
この手段により、外部電源供給時に放電用抵抗での消費電力を削減させる空気洗浄機が得られる。
【００１５】
また、本発明の空気清浄機は、マイコンと前記マイコンの電源供給を検知するリセット回路を設け、マイコンがリセットすると前記スイッチ手段をＯＮするものである。
【００１６】
この手段により、外部電源供給停止時に前記コンデンサの放電時間を短縮する空気洗浄機が得られる。
【００１７】
また、本発明の空気清浄機は、前記マイコンにてリセット解除すると前記スイッチ手段をＯＦＦするものである。
【００１８】
この手段により、外部電源供給時に放電用抵抗での消費電力を削減させる空気洗浄機が得られる。
【００１９】
また、本発明の空気清浄機は、マイコンを設け、マイコンにて直流電源を検知し、直流電源がある一定まで低下すると前記スイッチ手段をＯＮするものである。
【００２０】
この手段により、外部電源供給停止時に前記コンデンサの放電時間を短縮する空気洗浄機が得られる。
【００２１】
また、本発明の空気清浄機は、マイコンにて直流電源がある一定まで復帰するのを検知すると前記スイッチ手段をＯＦＦするものである。
【００２２】
この手段により、外部電源供給時に放電用抵抗での消費電力を削減させる空気洗浄機が得られる。
【発明の効果】
【００２３】
本発明によれば、外部電源から供給される交流電源を直流電源に変換する制御装置を備えた空気清浄機において、交流電源印加部に雑音低減用コンデンサと交流電源Ｓ相に時間検知用のゼロクロス回路と交流電源Ｒ相に前記コンデンサの電荷放電用抵抗と、前記抵抗への通電をＯＮ／ＯＦＦするスイッチ手段を設け、外部電源供給時は、前記スイッチ手段をＯＦＦし、外部電源供給停止時は、前記スイッチ手段をＯＮすることで、外部電源供給時の放電用の抵抗での消費電力を低下させ、外部電源供給停止時のみ前記コンデンサの放電時間を短縮することを特徴とするものであり、外部電源供給停止時に前記スイッチ手段をＯＮすることで、コンセントを抜いた時の電荷放電時間を短縮し、かつ外部電源供給時は前記スイッチ手段をＯＦＦして放電用抵抗での消費電力を削減させることのできる空気清浄機を提供することができる。
【図面の簡単な説明】
【００２４】
【図１】本発明の実施形態１の空気清浄機の回路図
【図２】本発明の実施形態１のスイッチＯＮ時のコンデンサ電荷の流れを示す図
【図３】本発明の実施形態１のスイッチＯＦＦ時のコンデンサ電荷の流れを示す図
【図４】本発明の実施形態２の回路図
【図５】本発明の実施形態３の回路図
【図６】従来の空気清浄機の回路図
【発明を実施するための形態】
【００２５】
本発明の請求項１記載の空気清浄機は、外部電源から供給される交流電源を直流電源に変換する制御装置を備えた空気清浄機において、交流電源印加部に雑音低減用のコンデンサと交流電源Ｓ相に時間検知用のゼロクロス回路と交流電源Ｒ相に前記コンデンサの電荷放電用抵抗と、前記抵抗への通電をＯＮ／ＯＦＦするスイッチ手段を設け、外部電源供給時は、前記スイッチ手段をＯＦＦし、外部電源供給停止時は、前記スイッチ手段をＯＮすることで、コンセントを抜いた時の電荷放電時間を短縮し、かつ外部電源供給時は前記スイッチ手段をＯＦＦして放電用抵抗での消費電力を削減させることを特徴とする。
【００２６】
また、請求項２記載の空気清浄機は、前記直流電源部に雑音低減用のコンデンサと前記コンデンサの電荷放電用抵抗と、前記抵抗に電流の通電をＯＮ／ＯＦＦするスイッチ手段を設け、直流電源供給時は、前記スイッチ手段をＯＦＦし、直流電源供給停止時は、前記スイッチ手段をＯＮすることで、コンセントを抜いた時の電荷消費時間を長くすることなく放電用抵抗での消費電力を削減させるという作用を有する。
【００２７】
また、請求項３記載の空気清浄機は、前記スイッチ手段を制御する制御部を設け、前記制御部にて、ある一定時間瞬停を検知すると前記スイッチ手段をＯＮすることで、コンセントを抜いた時の電荷消費時間を短縮させるという作用を有する。
【００２８】
また、請求項４記載の空気清浄機は、前記スイッチ手段を制御する制御部を設け、前記制御部にて瞬停復帰後に前記スイッチ手段をＯＦＦすることで、放電用抵抗での消費電力を削減させるという作用を有する。
【００２９】
また、請求項５記載の空気清浄機は、前記スイッチ手段を制御する制御部を設け、前記制御部がリセットすると前記スイッチ手段をＯＮすることで、コンセントを抜いた時の電荷消費時間を短縮するという作用を有する。
【００３０】
また、請求項６記載の空気清浄機は、前記スイッチ手段を制御する制御部を設け、前記制御部がリセット解除すると前記スイッチ手段をＯＦＦすることで、放電用抵抗での消費電力を削減させるという作用を有する。
【００３１】
また、請求項７記載の空気清浄機は、前記スイッチ手段を制御する制御部を設け、前記制御部の電源供給がある一定まで低下すると前記スイッチ手段をＯＮすることで、コンセントを抜いた時の電荷消費時間を短縮するという作用を有する。
【００３２】
また、請求項８記載の空気清浄機は、前記スイッチ手段を制御する制御部を設け、前記制御部の電源供給がある一定まで復帰すると前記スイッチ手段をＯＦＦすることで、放電用抵抗での消費電力を削減させるという作用を有する。
【００３３】
（実施の形態１）
図１に本発明の実施の形態における空気清浄機の構成を示す回路図を示す。外部電源から供給される交流電源１と、交流電源１の雑音低減用コンデンサ２とこの雑音低減用コンデンサ２にチャージされた電荷を放電するための抵抗３と抵抗３の通電をＯＮ／ＯＦＦするためのスイッチ４と、交流電源を直流電源に変換するダイオード５と、直流電源を平滑させるための電解コンデンサ６と平滑された直流電源を必要な電圧に変換するＩＣ７とスイッチ４のＯＮ／ＯＦＦを制御するマイコン８と時間検知するためのゼロクロス回路９を設け構成する。
【００３４】
ここでは外部電源からの供給される交流電源１はプラグ１０を使用し、商用電源のコンセントからの供給とする。プラグ１０をコンセントから抜いた時は、雑音低減用コンデンサ２に電荷がチャージしているため、プラグ１０にその電荷がかかる。ゼロクロス回路９を接続している相ではゼロクロス回路９にて電荷を放電するが、ゼロクロス回路９を接続していない相では、電荷を放電するまでに長い時間が必要となる。そのため、スイッチ４をＯＮし、図２のように雑音低減用コンデンサ２の電荷を抵抗３で消費させる。プラグ１０をさしている時は、雑音低減用コンデンサ２の電荷を抵抗３で消費する必要がないため、図３のようにスイッチ４をＯＦＦする。スイッチのＯＮ／ＯＦＦはマイコン８にて判断する。マイコン８にてゼロクロス検知時はスイッチ４をＯＦＦし、ゼロクロスを検知していない時はスイッチ４をＯＦＦする。
【００３５】
このように必要に応じてスイッチ４をＯＮ／ＯＦＦし抵抗３の通電をＯＮ／ＯＦＦすることで、プラグ１０を抜いた時だけ雑音低減用コンデンサ２の電荷を抵抗３で放電し、プラグ１０をさしている時は抵抗３での消費を削減できるため消費電力を低下させることができる。
【００３６】
（実施の形態２）
本実施の形態は前記実施の形態１と制御方法が異なるのみであり、同一構成のものは同一番号を付して詳しい説明は省略する。
【００３７】
外部電源から供給される交流電源１と、交流電源１の雑音低減用コンデンサ２と、交流電源を直流電源に変換するダイオード５と、直流電源を平滑させるための電解コンデンサ６とこの電解コンデンサ６にチャージされた電荷を放電するために抵抗３と抵抗３の通電をＯＮ／ＯＦＦするためのスイッチ４と平滑された直流電源を必要な電圧に変換するＩＣ７とスイッチ４のＯＮ／ＯＦＦを制御するマイコン８と時間検知するためのゼロクロス回路９を設け構成する。図４に回路図を示す。実施の形態１と同様にプラグ１０を抜いた時は、雑音低減用コンデンサ２に電荷がチャージしているため、プラグ１０にその電荷がかかる。雑音低減用コンデンサ２の電荷を放電するために、スイッチ４をＯＮし、抵抗３で電解コンデンサ６の電荷を消費させる。電解コンデンサ６を放電後、抵抗３にて雑音低減用コンデンサ２の電荷を放電することで雑音低減用コンデンサ２の電荷放電時間を短縮できる。プラグ１０をさしている時は、電解コンデンサ６の電荷を消費する必要がないため、スイッチ４をＯＦＦする。
【００３８】
このように必要に応じてスイッチ４をＯＮ／ＯＦＦし抵抗３の通電をＯＮ／ＯＦＦすることで、プラグ１０を抜いた時だけ雑音低減用コンデンサ２の電荷消費し、プラグ１０をさしている時は抵抗での消費を削減できるため消費電力を低下させることができる。
【００３９】
（実施の形態３）
本実施の形態は前記実施の形態１と制御方法が同一であり、同一構成のものは同一番号を付して詳しい説明は省略する。
【００４０】
スイッチ４をＯＮ／ＯＦＦするタイミング、つまりプラグ１０が抜き差しされたタイミングをゼロクロス回路９の瞬停時間で判断する。マイコン８にて一定時間、瞬停を検知するとスイッチ４をＯＮ／ＯＦＦする。図５に瞬停検知の回路図を示す。ここではスイッチ４としてトランジスタ１１を使用し、瞬停の検知にはゼロクロスを使用する。一定時間、例えばここでは２００ｍｓ瞬停を検知するとマイコン８がＬｏを出力しトランジスタ１１をＯＮさせる。また、瞬停復帰後はマイコン８はＨｉ出力しトランジスタ１１をＯＦＦさせる。
【００４１】
このように必要に応じてトランジスタ１１をＯＮ／ＯＦＦし抵抗３の通電をＯＮ／ＯＦＦすることで、プラグ１０を抜いた時だけ雑音低減用コンデンサ２の電荷消費し、プラグ１０をさしている時は抵抗での消費を削減できるため消費電力を低下させることができる。プラグ１０の電荷放電時間を短縮し、電源供給時の消費電力を低下させることができる。
【００４２】
（実施の形態４）
本実施の形態は前記実施の形態３と制御方法が同一であり、同一構成のものは同一番号を付して詳しい説明は省略する。
【００４３】
トランジスタ１１をＯＮ／ＯＦＦするタイミングとしてマイコン８のリセットに応じてトランジスタ１１をＯＮ／ＯＦＦする。マイコン８がリセットするとマイコン８の出力はＬｏとなるのでトランジスタ１１はＯＮし、抵抗３は通電開始する。マイコン８がリセット解除するとマイコン８はＨｉ出力しトランジスタ１１をＯＦＦさせる。
【００４４】
このように必要に応じてトランジスタ１１をＯＮ／ＯＦＦし抵抗３の通電をＯＮ／ＯＦＦすることで、プラグ１０を抜いた時だけ雑音低減用コンデンサ２の電荷消費し、プラグ１０をさしている時は抵抗での消費を削減できるため消費電力を低下させることができる。プラグ１０の電荷放電時間を短縮し、電源供給時の消費電力を低下させることができる。
【００４５】
（実施の形態５）
本実施の形態は前記実施の形態３と制御方法が同一であり、同一構成のものは同一番号を付して詳しい説明は省略する。
【００４６】
トランジスタ１１をＯＮ／ＯＦＦするタイミングとして、マイコン８にて直流電源の電圧を検知し、電圧値に応じてトランジスタ１１をＯＮ／ＯＦＦする。マイコン８の検知結果がある一定、例えば４．０Ｖ以下になるとマイコン８はＬｏを出力しトランジスタ１１はＯＮし、抵抗３は通電開始する。その後、マイコン８の供給電源が４．０Ｖを超えるとマイコン８はＨｉ出力しトランジスタ１１をＯＦＦさせる。このように必要に応じてトランジスタ１１をＯＮ／ＯＦＦし抵抗３の通電をＯＮ／ＯＦＦすることで、プラグ１０を抜いた時だけ雑音低減用コンデンサ２の電荷消費し、プラグ１０をさしている時は抵抗での消費を削減できるため消費電力を低下させることができる。プラグ１０の電荷放電時間を短縮し、電源供給時の消費電力を低下させることができる。
【産業上の利用可能性】
【００４７】
本発明は、室内空間に浮遊する埃や煙草などの汚染物質を含んだ汚染空気を吸い込んで清浄し、室内に吹きだす機能を備えた空気洗浄機に有用である。
【符号の説明】
【００４８】
１    交流電源
２    雑音低減用コンデンサ
３    抵抗
４    スイッチ
５    ダイオード
６    電解コンデンサ
７    ＩＣ
８    マイコン
１０  プラグ
１１  トランジスタ
【図１】
2012078069.tif 000003
【図２】
2012078069.tif 000004
【図３】
2012078069.tif 000005
【図４】
2012078069.tif 000006
【図５】
2012078069.tif 000007
【図６】
2012078069.tif 000008